(57)【特許請求の範囲】
【請求項１】
底部から起立する４つの側壁のうち互いに対向する１対の第１側壁が上下方向の中間位置で２つ折にされて前記底部の上に折り畳まれてから、それら１対の第１側壁の上に残りの１対の第２側壁が重ねられて折畳状態になる箱形容器であって、
前記第１側壁のうち前記中間位置より下側の下側第１側壁部が前記底部から起立した下側起立状態で、前記第１側壁のうち前記中間位置より上側の上側第１側壁部が下端部を中心に回動して側面開口を開閉する箱形容器において、
前記上側第１側壁部を前記下側第１側壁部に回動可能かつ上下動可能に連結するスライドヒンジ部と、
前記上側第１側壁部の両側面から側方に突出するサイド突部の先端部から下方に下向き係止突壁が突出してなる第１フック部と、
前記１対の第２側壁の側部から前記上側第１側壁部側に突出するサイド突部の先端部から上方に上向き係止突壁が突出してなり、前記上側第１側壁部の上下の可動範囲の全域で、前記第１フック部の前記下向き係止突壁に、前記上向き係止突壁が前記上側第１側壁部の横方向で係合する第２フック部と、
前記下向き係止突壁の上部と前記上側第１側壁部の両側面との間に差し渡され、前記下側起立状態で、前記上側第１側壁部が前記スライドヒンジ部による上下の可動範囲の下端位置に配置されたときには、前記上向き係止突壁の上部に前記箱形容器の内側から対向して前記上側第１側壁部の外側への回動を規制し、前記上側第１側壁部が前記可動範囲の上端位置に配置されたときには、前記上向き係止突壁の上部に前記箱形容器の内側から対向しなくなって前記上側第１側壁部の外側への回動を許容する回動干渉壁と、を備え、
前記回動干渉壁の内面は、前記上側第１側壁部の内面と面一に連続し、
前記上向き係止突壁は、前記上側第１側壁部の内面と面一に配置される内面と、その内面の上部を段付き状に陥没させてなり前記回動干渉壁を受容する係合段差部とを有する箱形容器。
【請求項２】
前記下側起立状態で、前記上側第１側壁部が前記上端位置に配置されたときに、前記上側第１側壁部の外側及び内側への両方向に回動可能な請求項１に記載の箱形容器。
【請求項３】
前記上側第１側壁部が前記下端位置に配置された状態で前記第１側壁全体が下端部を中心に内側に回動可能な請求項１又は２に記載の箱形容器。
【請求項４】
前記上側第１側壁部の両側部又は前記１対の第２側壁の側部に設けられ、前記上側第１側壁部を前記下端位置にロックするロック位置と、そのロックを解除するロック解除位置との間を移動する第１ロック部材と、
前記下側第１側壁部の両側部又は前記１対の第２側壁の側部に設けられ、前記下側第１側壁部を起立姿勢にロックするロック位置と、そのロックを解除するロック解除位置との間を移動する第２ロック部材とを備える請求項１乃至３の何れか１の請求項記載の箱形容器。
【発明の詳細な説明】
【技術分野】
【０００１】
本発明は、側壁の一部が下端部を中心に回動して側面開口を開閉する回動壁になっている箱形容器に関する。
【背景技術】
【０００２】
従来のこの種の箱形容器として、側面開口の両側縁部にアリ溝を備え、回動壁の両側部に設けた断面台形の係合突部がアリ溝に係合することで、回動壁が起立状態に仮係止されるものが知られている。
【先行技術文献】
【特許文献】
【０００３】
【特許文献１】特開平０２−２４２７４１号公報（図１，図２）
【発明の概要】
【発明が解決しようとする課題】
【０００４】
しかしながら、上述した従来の箱形容器では、係合突部とアリ溝との係合だけでは回動壁の外側への回動を確実に防ぐことができない。また、係合突部とアリ溝との挿抜が困難であるため、回動壁の開閉作業に手間がかかるという問題があった。
【０００５】
本発明は、上記事情に鑑みてなされたもので、回動壁の外側又は内側への回動を確実に禁止しかつ、簡単な操作で回動壁の外側又は内側への回動が可能になる箱形容器の提供を目的とする。
【課題を解決するための手段】
【０００６】
上記目的を達成するためになされた請求項１の発明は、底部から起立する４つの側壁のうち互いに対向する１対の第１側壁が上下方向の中間位置で２つ折にされて前記底部の上に折り畳まれてから、それら１対の第１側壁の上に残りの１対の第２側壁が重ねられて折畳状態になる箱形容器であって、前記第１側壁のうち前記中間位置より下側の下側第１側壁部が前記底部から起立した下側起立状態で、前記第１側壁のうち前記中間位置より上側の上側第１側壁部が下端部を中心に回動して側面開口を開閉する箱形容器において、前記上側第１側壁部を前記下側第１側壁部に回動可能かつ上下動可能に連結するスライドヒンジ部と、前記上側第１側壁部の両側面から側方に突出するサイド突部の先端部から下方に下向き係止突壁が突出してなる第１フック部と、前記１対の第２側壁の側部から前記上側第１側壁部側に突出するサイド突部の先端部から上方に上向き係止突壁が突出してなり、前記上側第１側壁部の上下の可動範囲の全域で、前記第１フック部の前記下向き係止突壁に、前記上向き係止突壁が前記上側第１側壁部の横方向で係合する第２フック部と、前記下向き係止突壁の上部と前記上側第１側壁部の両側面との間に差し渡され、前記下側起立状態で、前記上側第１側壁部が前記スライドヒンジ部による上下の可動範囲の下端位置に配置されたときには、前記上向き係止突壁の上部に前記箱形容器の内側から対向して前記上側第１側壁部の外側への回動を規制し、前記上側第１側壁部が前記可動範囲の上端位置に配置されたときには、前記上向き係止突壁の上部に前記箱形容器の内側から対向しなくなって前記上側第１側壁部の外側への回動を許容する回動干渉壁と、を備え、前記回動干渉壁の内面は、前記上側第１側壁部の内面と面一に連続し、前記上向き係止突壁は、前記上側第１側壁部の内面と面一に配置される内面と、その内面の上部を段付き状に陥没させてなり前記回動干渉壁を受容する係合段差部とを有する箱形容器である。
【０００７】
請求項２の発明は、前記下側起立状態で、前記上側第１側壁部が前記上端位置に配置されたときに、前記上側第１側壁部の外側及び内側への両方向に回動可能な請求項１に記載の箱形容器である。
【００１２】
請求項３の発明は、前記上側第１側壁部が前記下端位置に配置された状態で前記第１側壁全体が下端部を中心に内側に回動可能な請求項１又は２に記載の箱形容器である。
【００１３】
請求項４の発明は、前記上側第１側壁部の両側部又は前記１対の第２側壁の側部に設けられ、前記上側第１側壁部を前記下端位置にロックするロック位置と、そのロックを解除するロック解除位置との間を移動する第１ロック部材と、前記下側第１側壁部の両側部又は前記１対の第２側壁の側部に設けられ、前記下側第１側壁部を起立姿勢にロックするロック位置と、そのロックを解除するロック解除位置との間を移動する第２ロック部材とを備える請求項１乃至３の何れか１の請求項に記載の箱形容器である。
【発明の効果】
【００１４】
請求項１の箱形容器では、上側第１側壁部が下端位置に配置されると、上側第１側壁部の外側への回動が規制され、そこから上側第１側壁部を上端位置に移動すると上側第１側壁部の外側への回動が許容される。つまり、本発明によれば、簡単な操作で上側第１側壁部を回動可能な状態と回動を規制された状態とに変更することができる。また、第１側壁の一部である上側第１側壁部を回動蓋のように利用して箱形容器の側面の一部を開くことができる。さらには、上側第１側壁部の第１フック部と第２フック部との係合により、側面開口の横方向への拡がりを防ぐことができる。
【００１８】
請求項３の箱形容器によれば、組立状態から第１側壁全体を下端部を中心に内側に回動してから上側第１側壁部を下側第１側壁部に対して外側に折り曲げて第１側壁を畳むことができる。即ち、箱形容器の組立状態から、逐一、上側第１側壁部を上端位置に移動しなくても第１側壁を折り畳むことができる。
【００１９】
請求項４の箱形容器によれば、第１ロック部材と第２ロック部材とによって、上側第１側壁部と下側第１側壁部とを別々にロックすることができるので、上側第１側壁部と下側第１側壁部の両方を１対の第２側壁の両側部に固定する使用形態と、下側第１側壁部のみを１対の第２側壁の両側部に固定して上側第１側壁部を開く使用形態の両方の使用形態で箱形容器全体を安定させることができる。
【図面の簡単な説明】
【００２０】
【図１】本発明の一実施形態に係る箱形容器の斜視図
【図２】パレットの上面側の斜視図
【図３】パレットの下面側の斜視図
【図４】回動側壁の外面側の斜視図
【図５】回動側壁の内面側の斜視図
【図６】折畳側壁の外面側の斜視図
【図７】折畳側壁の内面側の斜視図
【図８】折畳側壁の分解斜視図
【図９】（Ａ）折畳側壁の外面側の一部を拡大した分解斜視図，（Ｂ）折畳側壁の内面側の一部を拡大した分解斜視図
【図１０】下折畳側壁の一部破断の斜視図
【図１１】折畳側壁の一部破断の斜視図
【図１２】折畳側壁の一部破断の斜視図
【図１３】上側折畳側壁が折り曲げられた状態の折畳側壁の一部破断の斜視図
【図１４】パレット上で回動側壁が起立した状態の側面図
【図１５】パレット上で回動側壁と折畳側壁が起立した状態の側面図
【図１６】回動側壁と折畳側壁との連結部分の一部を拡大した側面図
【図１７】回動側壁と折畳側壁との連結部分の一部破断の側面図
【図１８】回動側壁と折畳側壁との連結部分の一部破断の斜視図
【図１９】回動側壁と折畳側壁との連結部分の一部破断の側面図
【図２０】回動側壁と折畳側壁との連結部分の一部破断の側面図
【図２１】回動側壁と折畳側壁との連結部分の一部破断の側面図
【図２２】上側折畳側壁を開いた状態の箱形容器の斜視図
【図２３】折り畳む途中の箱形容器の斜視図
【図２４】折畳状態の箱形容器の斜視図
【図２５】折畳状態の箱形容器の一部を拡大した斜視図
【発明を実施するための形態】
【００２１】
以下、本発明の一実施形態を図１〜図２５に基づいて説明する。図１に示した本実施形態の箱形容器１０は、所謂、「折り畳み式のボックスパレット」であって、パレット１１の上縁部に１対の回動側壁２０，２０と１対の折畳側壁３０，３０とを組み付けてなる。なお、これら箱形容器１０を構成するパレット１１、回動側壁２０及び折畳側壁３０等の容器構成部品は、何れも例えばガラス長繊維を含んだ樹脂の射出成形品になっている。
【００２２】
図２に示すように、パレット１１は、平面形状が長方形の底板部１２（本発明に係る「箱形容器の底部」に相当する）の下面四隅から桁部１３が突出した構造をなし、それら桁部１３によって底板部１２の下方にフォークリフトのフォークが挿入される空間が形成される。また、底板部１２は、縦横に延びる溝形状の複数の横梁１４と縦梁１５とを交差させた格子構造をなし、それら横梁１４及び縦梁１５の溝開口は、図３に示すように下側を向いている。さらに、桁部１３の下面の内角寄り位置からは角筒突部１３Ａが突出し、２辺の外縁寄り位置からは下面突起１３Ｄ，１３Ｄが突出している。
【００２３】
図２に示すように、底板部１２の上面における１対の長辺側の外縁部からは、１対の長辺土手部１６，１６が突出し、１対の短辺側の外縁部からは、１対の短辺土手部１７，１７が突出している。短辺土手部１７は、全体に亘って均一な高さをなし、長辺土手部１６全体より高くなっている。短辺土手部１７及び長辺土手部１６の詳細構造は、回動側壁２０及び折畳側壁３０と併せて後に詳説する。
【００２４】
回動側壁２０は、図４に示すように、水平に延びる複数の溝形状の横長部材２４と上下に延びる複数の溝形状の縦長部材２５とを格子状に交差させた格子構造をなしている。また、横長部材２４群の上側には、２つの特別横長部材２４Ｅが備えられ、下側には、１つの特別横長部材２４Ｆが備えられている。そして、上側の２つの特別横長部材２４Ｅ，２４Ｅと上端の横長部材２４とが、隣り合わせに設けられて溝側壁２４Ａを共有し、これ同様に、下側の特別横長部材２４Ｆと下端の横長部材２４とが隣り合わせに設けられて溝側壁２４Ａを共有している。
【００２５】
なお、下側の特別横長部材２４Ｆと上から２番目の特別横長部材２４Ｅの溝底壁２４Ｂは、回動側壁２０の内面側に配置され、上端の特別横長部材２４Ｅと全ての横長部材２４の溝底壁２４Ｂは、回動側壁２０の外面側に配置されている。一方、全ての縦長部材２５の溝底壁２５Ｂは、回動側壁２０の内面側に配置されている。また、特別横長部材２４Ｅ，２４Ｆ、横長部材２４及び縦長部材２５の各溝底壁２４Ｂ、２５Ｂには、それぞれ複数の丸孔２４Ｃや長孔２４Ｄ，２５Ｄが形成されている。
【００２６】
回動側壁２０の横方向の両端寄り位置には、上下方向に延びた第１サイドリブ２６Ａ，２６Ａが備えられ、それら第１サイドリブ２６Ａ，２６Ａより内側には、上下方向に延びた縦リブ２９Ｌが２つずつ設けられている。また、第１サイドリブ２６Ａ，２６Ａにおける回動側壁２０の内面側の縁部からは側方に第２サイドリブ２６Ｂ，２６Ｂが張り出していて、横長部材２４の溝側壁２４Ａから延長された複数の横リブ２６Ｃによって第１サイドリブ２６Ａと第２サイドリブ２６Ｂとが接続されている。
【００２７】
図５に示すように、第２サイドリブ２６Ｂ，２６Ｂの内面全体は、横長部材２４及び縦長部材２５からなる回動側壁２０の本体部分の内面より突出して、縦長ブロック状の連結ブロック２７，２７になっている。また、連結ブロック２７のうち上下方向の略中央部より上側には、上端部を含む複数位置に係合凹部２７Ａが形成されている。図１８に示すように、係合凹部２７Ａは、連結ブロック２７を幅方向を横切るように切除してなる。また、図１４に示すように、係合凹部２７Ａの下面２７Ｃのうち係合凹部２７Ａの内側面２７Ｄから離れた側の縁部からは係止突壁２８が起立している。さらに、図１８に示すように、係止突壁２８の上端部のうち縦リブ２９Ｌ側の上端角部が切除されて係合段差部２８Ａになっている。そして、本実施形態では、連結ブロック２７のうち係合凹部２７Ａ以外の部分が、本発明に係る第２フック部８０になっている。即ち、連結ブロック２７のうち係合凹部２７Ａ以外の部分が、折畳側壁３０に向かって突出したサイド突部８１をなし、各第２フック部８０は、サイド突部８１の先端部から上方に前述した係止突壁２８が突出した構造になっている。
【００２８】
図５に示すように、連結ブロック２７のうち回動側壁２０の本体部分の内面と平行になった面には、上端寄り位置と下端寄り位置とに、それぞれ縦長の係合溝２７Ｍ，２７Ｎが設けられている。また、連結ブロック２７のうち縦リブ２９Ｌ側を向いた面の下端部には、縦長の長方形の陥没部２７Ｌが形成され、その陥没部２７Ｌに１対の縦長の結合孔２７Ｋ，２７Ｋが備えられている。１対の結合孔２７Ｋ、２７Ｋは、上下に並べて設けられ、それぞれ連結ブロック２７を幅方向に貫通していている（図１５参照）。
【００２９】
図４に示すように、回動側壁２０の下面からは、複数のヒンジアーム２１，２１が垂下されている。各ヒンジアーム２１は、下端の特別横長部材２４Ｆの溝底壁２４Ｂから延長された帯板２１Ｂの外面にリブを備えてなり、両側面の下端部にヒンジ突起２１Ａ，２１Ａを備えている。これらヒンジアーム２１に対して、図２に示すようにパレット１１の短辺土手部１７にはアーム受容部１７Ａが形成されている。アーム受容部１７Ａは、短辺土手部１７の内面と上面とに開放した溝状をなしかつ、１対の内側面に係合溝１７Ｍ，１７Ｍを有する。そして、係合溝１７Ｍ，１７Ｍにヒンジアーム２１のヒンジ突起２１Ａ，２１Ａが係合し、ヒンジ突起２１Ａを中心にして回動側壁２０が回動して、図２３に示すように、短辺土手部１７上に起立した起立姿勢と、図２４に示すように、パレット１１の底板部１２上に倒れた折畳姿勢とに変更される。なお、係合溝１７Ｍの上端部は幅狭になっていてヒンジ突起２１Ａが上方に抜け難くなっている。
【００３０】
図４に示すように、回動側壁２０の下面からは、ヒンジアーム２１，２１以外に複数の嵌合突片２２が突出している。それら嵌合突片２２の回動側壁２０から下方への突出量は、ヒンジアーム２１より小さくなっている。また、図２に示すように、短辺土手部１７には、嵌合突片２２に対応して、複数の嵌合凹部１７Ｂが形成されている。そして、回動側壁２０を起立姿勢にして持ち上げ、嵌合突片２２を嵌合凹部１７Ｂに上方から凹凸係合させて回動側壁２０が起立姿勢に保持される。
【００３１】
なお、図１に示すように、回動側壁２０の上面における横方向の両端寄り位置には、上面の外面とに開放した上面凹部２０Ｋ，２０Ｋが形成されている。また、次述する折畳側壁３０の上面における横方向の両端寄り位置にも同様の上面凹部３０Ｋが形成されている。
【００３２】
図６に示すように、折畳側壁３０は、上側折畳側壁３１と下側折畳側壁３２とをヒンジ部材３３にて連結してなる。上側折畳側壁３１及び下側折畳側壁３２は、図８に示すように、前述した回動側壁２０と同様に複数の横長部材２４と複数の縦長部材２５とが交差した格子構造をなしている。また、上側折畳側壁３１の縦長部材２５と下側折畳側壁３２の縦長部材２５とは、同一直線上に配置されている。さらに、図６に示すように、折畳側壁３０においても、回動側壁２０と同様に、全ての横長部材２４の溝底壁２４Ｂが折畳側壁３０の外面側に配置され、全ての縦長部材２５の溝底壁２５Ｂが折畳側壁３０の内面側に配置されている。さらには、折畳側壁３０の上部と下部とに特別横長部材２４Ｅ，２４Ｆが備えられている点、溝底壁２４Ｂ，２５Ｂに丸孔２４Ｃ、長孔２４Ｄ，２５Ｄが形成されている点等も回動側壁２０と共通している。
【００３３】
下側折畳側壁３２の下面からは、回動側壁２０と同様に、複数のヒンジアーム４０が垂下され、各ヒンジアーム４０の下端部から側方に突出したヒンジ突起４０Ａ，４０Ａが、図２に示したパレット１１の長辺土手部１６に形成されているアーム受容部１６Ａの係合溝１６Ｍ，１６Ｍに係合している。そして、下側折畳側壁３２が、ヒンジ突起４０Ａを中心にして回動し、図２２に示すように、パレット１１の長辺土手部１６上に起立した起立姿勢と、パレット１１上に重ねられた折畳姿勢（図２３参照）とに変更され、起立姿勢から外側には回動できないようになっている。また、図６に示すように折畳側壁３０の下面からも、複数の嵌合突片４１が突出している。これに対し、図２に示すように、長辺土手部１６には、内面と上面とに開放した複数の嵌合凹部１６Ｃが形成されていて、折畳側壁３０を起立姿勢にしたときに、嵌合突片４１が嵌合凹部１６Ｃに長辺土手部１６の内面側から収まる。
【００３４】
図６に示すように、上側折畳側壁３１及び下側折畳側壁３２の横方向の両端部には、それぞれ上下方向に延びた１対のサイドリブ３６，３６が備えられ、それらサイドリブ３６，３６より内側に上下方向に延びた縦リブ３７が備えられている。また、縦リブ３７と縦長部材２５との間、又は、縦リブ３７とサイドリブ３６との間に横方向から挟まれかつ、横長部材２４，２４に上下方向から挟まれた各セルには、折畳側壁３０の内面側から覆う補強壁３８が備えられ、それら補強壁３８にそれぞれ貫通孔３８Ａが形成されている。
【００３５】
図８に示すように、下側折畳側壁３２においては、後述する連結梁６０が最上部に配置されて左右方向に延びている。また、図６に示すように、下側折畳側壁３２の横方向の両端部には、上端寄り位置に、縦リブ３７及びサイドリブ３６と連結梁６０及び横リブ２４Ｖとに四方を囲まれた矩形のスライダ収容部屋３０Ｒが設けられ、その内部にロック部材３４（本発明の「第２ロック部材」に相当する）が収容されている。
【００３６】
図１５に示すように、ロック部材３４は、縦長の筐体部３４Ａからサイドリブ３６側に係合突片３４Ｂが突出した構造をなしている。そして、サイドリブ３６に形成された縦長のスリット３０Ｓ（図１０参照）に係合突片３４Ｂが挿入され、スライダ収容部屋３０Ｒ内の上下の両面に形成されたガイド突条４６Ｔ，４６Ｔにロック部材３４が係合して横方向にスライドする。なお、スリット３０Ｓの開口縁からはスライダ収容部屋３０Ｒの内側に補強突壁３０Ｕが張り出している。
【００３７】
また、図１０に示すように、スライダ収容部屋３０Ｒの内面側を閉塞している補強壁３８には、その一部を片持ち梁状に切り離して係止突片４５が形成され、その係止突片４５の先端部の突起がロック部材３４と係合して、ロック部材３４が、可動範囲のサイドリブ３６側に位置したロック位置と、縦リブ３７側に位置したロック解除位置とに係止される。そして、図１５に示すように、ロック部材３４がロック解除位置に配置されると、係合突片３４Ｂがサイドリブ３６より内側に引っ込んだ状態になり、ロック部材３４がロック位置に配置されると、係合突片３４Ｂがサイドリブ３６から外側に突出する。
【００３８】
図６に示すように、下側折畳側壁３２には、横方向の両端の下端角部を、略長方形に切除してコーナー凹部３２Ｎ，３２Ｎが形成されている。また、各コーナー凹部３２Ｎの上隣には、下側折畳側壁３２の側面下端部から側方に突出した角筒状のサイド下端突部４２が備えられている。これらに対し、図２に示すように、長辺土手部１６の両端部では、下側突部１６Ｄが段付き状に上方に突出すると共に、短辺土手部１７から下側突部１６Ｄの上方に上側突部１６Ｅが張り出している。また、下側突部１６Ｄと上側突部１６Ｅとの間に突部受容部１６Ｂが形成されている。そして、図１５に示すように、下側折畳側壁３２が起立姿勢になると、コーナー凹部３２Ｎに下側突部１６Ｄが嵌合し、突部受容部１６Ｂにサイド下端突部４２が収まる。
【００３９】
また、図１０に示すように、下側折畳側壁３２の側面のうちサイド下端突部４２とスリット３０Ｓとの間には、サイド係合部４３が設けられている。サイド係合部４３は、下側折畳側壁３２の側面の内縁部から側方に張り出す縦長の突片４３Ｂの外面に、１対の縦長突部４３Ａ，４３Ａを縦並びに備えた構造をなしている。そして、図１５に示すように、回動側壁２０と下側折畳側壁３２とが起立姿勢になったときに、サイド係合部４３の縦長突部４３Ａ，４３Ａが回動側壁２０における連結ブロック２７の結合孔２７Ｋ，２７Ｋに嵌合しかつ、図２１に示すように連結ブロック２７の陥没部２７Ｌにサイド係合部４３の突片４３Ｂが収まる。また、この状態で、ロック部材３４をロック位置に配置すると、係合突片３４Ｂが連結ブロック２７の係合溝２７Ｎに凹凸係合する。
【００４０】
図６に示すように、上側折畳側壁３１においては、一部の縦長部材２５，２５の上端寄り位置を切除して１対の持手部３０Ｈ，３０Ｈが形成されている。また、上側折畳側壁３１の横方向の両端部にも、上端寄り位置に下側折畳側壁３２と同様のスライダ収容部屋３０Ｒが設けられ、そこにロック部材３４（本発明の「第１ロック部材」に相当する）が収容されている。
【００４１】
また、上側折畳側壁３１の両側面には、回動側壁２０の複数の第２フック部８０に対応して複数の第１フック部４４が設けられている。第１フック部４４は、上側折畳側壁３１の両側面から側方に突出したサイド突部４４Ｔの先端部から下方に係止突壁４４Ａが突出してなる。また、図７に示すように、係止突壁４４Ａとサイドリブ３６との間には、回動干渉壁４４Ｂが備えられている。また、回動干渉壁４４Ｂは、補強壁３８から延設されて、上側折畳側壁３１の内面側の端部に位置すると共に、図１８に示すように、回動干渉壁４４Ｂの下端部が、係止突壁４４Ａの下端部より上側に位置している。そして、回動側壁２０及び折畳側壁３０が共に起立姿勢となった状態で、図１５に示すように、第１フック部４４が連結ブロック２７の係合凹部２７Ａに受容され、係止突壁４４Ａが係合凹部２７Ａの内側面２７Ｄと係止突壁２８との間に受容される。即ち、第１フック部４４と第２フック部８０とが折畳側壁３０の横方向で係合した状態になる。
【００４２】
このとき、上側折畳側壁３１が下側折畳側壁３２に対して後述する下端位置に配置されていると、図１９に示すように回動干渉壁４４Ｂが係止突壁２８の係合段差部２８Ａに内側から対向して、上側折畳側壁３１の外側への回動が規制される。即ち、第１フック部４４と第２フック部８０とが上側折畳側壁３１の回動方向で対向する。つまり、本実施形態では、本発明に係る第１フック部４４と第２フック部８０とが、本発明に係る「回動干渉部」を兼ねている。そして、第１フック部４４と第２フック部８０とが係合した状態で、ロック部材３４をロック位置に移動すると、係合突片３４Ｂが回動側壁２０の係合溝２７Ｍに凹凸係合し、上側折畳側壁３１が起立状態にロックされる。
【００４３】
また、図１９に示すように、上側折畳側壁３１が下端位置に配置された状態で第１フック部４４が係合凹部２７Ａに受容されると、第１フック部４４とその上側の第２フック部８０との間には、本発明に係る移動許容空間Ｅが形成される。これにより、ロック部材３４をロック解除位置に配置して、上側折畳側壁３１を下端位置からその上方の後述する上端位置に移動することができる。すると、上側折畳側壁３１が上端位置に移動すると、互いに対向していた回動干渉壁４４Ｂと係止突壁２８が、図２０に示すように上下に隙間δを空けて離間し、それら回動干渉壁４４Ｂと係止突壁２８との係合が解除される。これにより、図２１に示すように、上側折畳側壁３１の外側への回動が許容される。そして、図２２に示すように、上側折畳側壁３１によって箱形容器１０の一部が、本発明に係る側面開口１０Ｋとして開放される。
【００４４】
上側折畳側壁３１と下側折畳側壁３２との結合部分は、以下のようになっている。図８に示すように、上側折畳側壁３１の下端部においては、縦長部材２５、サイドリブ３６及び縦リブ３７が下端の横長部材２４より下方に突出している。また、上側折畳側壁３１には、全部で例えば８つの縦長部材２５が備えられていて、それら複数の縦長部材２５の下端部の隣に１つおきにヒンジ凹部４７が設けらている。具体的には、上側折畳側壁３１の下端部のうち両端の縦長部材２５と縦リブ３７との間、両端から２番目と３番目の縦長部材２５，２５の間、中央の２つの縦長部材２５，２５の間のぞれぞれにヒンジ凹部４７が設けられている。
【００４５】
図９（Ａ）に示すように、各ヒンジ凹部４７には、横方向で対向する対向面から１対のヒンジピン４８，４８が突出している。また、ヒンジピン４８は、丸棒における１８０度離れた２位置に平面を形成した形状をなし、上側折畳側壁３１が起立した状態でそれら平面が上下に配置される。また、図９（Ｂ）に示すように、上側折畳側壁３１の内面側においては、ヒンジ凹部４７の上端部の間に補強壁４７Ａが差し渡されている。
【００４６】
図８に示すように、上側折畳側壁３１の下端部のうちヒンジ凹部４７が設けられていない部分、即ち、サイドリブ３６と縦リブ３７との間、両端から１番目と２番目の縦長部材２５，２５の間、両端から３番目と４番目の縦長部材２５，２５の間のぞれぞれが回動規制部４９になっている。
【００４７】
図９（Ａ）に示すように、縦長部材２５，２５同士の間の回動規制部４９は、それら縦長部材２５，２５の間の空間の下面と内面とが壁で閉塞されたセル構造部分を有し、その下面を閉塞する壁のうち内面寄り位置から矩形の上側結合突部５０が突出した構造をなしている。また、図９（Ｂ）に示すように、各縦長部材２５の下端寄り位置で溝底壁２５Ｂが溝側壁２５Ａ，２５Ａの間へと直角曲げされてからさらに下方に直角曲げされてＬ形補強壁４９Ａが形成されている。これにより、各縦長部材２５の下端部に、上側結合凹部５１が備えられている。また、図８に示すように、サイドリブ３６と縦リブ３７との間の回動規制部４９は、サイドリブ３６と縦リブ３７の間の空間の下面と内面とが壁で閉塞されたセル構造部を有し、その下面を閉塞する壁のうち内面寄り位置から上側結合突部５０が突出した構造をなしている。
【００４８】
図１１に示すように、ヒンジ凹部４７には、ヒンジ部材３３の上端部が受容されている。図９（Ｂ）に示すように、ヒンジ部材３３は、上下方向に延びた直方体状の本体部３３Ｈを備え、その本体部３３Ｈの両側面における上端部から１対のヒンジスリーブ５４，５４が突出すると共に、本体部３３Ｈの両側面における下端部から１対のヒンジピン５５，５５が突出した構造をなしている。ヒンジスリーブ５４は、円筒体の周方向の一部を切除して折畳側壁３０の内面側に向かって開放した側面開口５４Ａを設け、その側面開口５４Ａの上下の開口縁から１対の突片５４Ｂ，５４Ｂを突出させた形状をなしている。そして、図１１に示すように、ヒンジ凹部４７のヒンジピン４８が側面開口５４Ａからヒンジスリーブ５４内に受けれられてヒンジ部材３３の上端部が上側折畳側壁３１の下端部に回動可能に連結されている。なお、突片５４Ｂ，５４Ｂの対向面には、ヒンジピン４８を抜け止めするための突起５４Ｃ，５４Ｃ（図１１参照）が形成されている。
【００４９】
図９（Ｂ）に示すように、ヒンジピン５５は、丸棒における１８０度離れた２位置に平面を形成した形状をなし、ヒンジスリーブ５４の真下にヒンジピン５５が位置した状態で、ヒンジピン５５の２つの平面は、水平方向に対して傾斜した方向に並んだ状態になる。
【００５０】
図８に示すように、下側折畳側壁３２の上端部を横切る連結梁６０は、断面四角形の部材に前述した上側折畳側壁３１の上側結合突部５０、上側結合凹部５１、ヒンジ凹部４７に対応する下側結合凹部５３、下側結合突部５２及びヒンジ凹部５６を備えた構造をなしている。図１０に示すように、下側折畳側壁３２の下側結合凹部５３は、折畳側壁３０の上面と内面とに開口していて、図１１に示すように、この下側結合凹部５３に上側折畳側壁３１の上側結合突部５０が凹凸係合する。
【００５１】
また、図１０に示すように、下側折畳側壁３２の下側結合突部５２は、連結梁６０の上面から突出し、下側折畳側壁３２の内面側が開口した直方体構造をなし、図１１に示すように、この下側結合突部５２に上側折畳側壁３１の上側結合凹部５１が凹凸係合する。
【００５２】
さらに、図１０に示すように下側折畳側壁３２のヒンジ凹部５６は、連結梁６０の内面と上面とに開放し、１対の内側面に係合溝５６Ｍ，５６Ｍを有する。また、係合溝５６Ｍの上端部には、突部５６Ｔ，５６Ｔが備えられている。そして、それら係合溝５６Ｍ，５６Ｍに、ヒンジ部材３３のヒンジピン５５，５５が上下動可能かつ回動可能に係合して本発明に係るスライドヒンジ部７９が構成されている（図１１〜図１３参照）。また、図１１に示すように、ヒンジピン５５が、係合溝５６Ｍ内で突部５６Ｔ，５６Ｔから離間して、上側折畳側壁３１がスライドヒンジ部７９による上下の可動範囲の下端位置に配置された状態となり、図１２に示すように、ヒンジピン５５が、係合溝５６Ｍ内で突部５６Ｔ，５６Ｔに近接して、上側折畳側壁３１がスライドヒンジ部７９による上下の可動範囲の上端位置に配置された状態となる。
【００５３】
本実施形態の箱形容器１０の構成に関する説明は以上である。次に、この箱形容器１０の作用効果について説明する。本実施形態の箱形容器１０は、図１に示した組立状態にして、全てのロック部材３４をロック位置に配置すると、回動側壁２０と折畳側壁３０とが、互いに結合した状態に固定される。なお、組立状態の箱形容器１０が段積みされると、上側の箱形容器１０の角筒突部１３Ａ（図３参照）が、下側の箱形容器１０の角部内側に嵌合され、上側の箱形容器１０の下面突起１３Ｄ，１３Ｄが下側の箱形容器１０の上面凹部２０Ｋ，３０Ｋに凹凸係合する。
【００５４】
図１に示した組立状態から上側折畳側壁３１のロック部材３４と下側折畳側壁３２のロック部材３４とを共にロック解除位置に配置すると、図１７に示すように、折畳側壁３０全体を下端部を中心して箱形容器１０内に倒すことができる。そして、折畳側壁３０全体を内側に倒す過程で、図２３に示すように、折畳側壁３０を外側に折り曲げ、２つ折りにして寝かせることで、２つの折畳側壁３０，３０をパレット１１の底板部１２上に並べて配置することができる。即ち、本実施形態の箱形容器１０では、組立状態から、逐一、上側折畳側壁３１を上端位置に移動しなくても折畳側壁３０を折り畳むことができる。そして、その上に回動側壁２０，２０を順次倒して重ねれば、箱形容器１０全体が折畳状態になる。なお、この状態で、図２５に示すように、上側の回動側壁２０の第２フック部８０が、下側の回動側壁２０における側縁部に備えた受容凹部３０Ｖに収まる。
【００５５】
また、折畳状態の箱形容器１０（図２４参照）の上に別の箱形容器１０が段積みされた際には、上側の箱形容器１０の角筒突部１３Ａ（図３参照）が、下側の箱形容器１０の短辺土手部１７と上側突部１６Ｅ（図２４参照）との角部内側に嵌合され、上側の箱形容器１０の下面突起１３Ｄが下側の箱形容器１０の嵌合凹部１７Ｂに凹凸係合する。即ち、嵌合凹部１７Ｂが回動側壁２０の嵌合突片２２（図４参照）との嵌合相手と下面突起１３Ｄの嵌合相手とに兼用されている。
【００５６】
さて、組立状態の箱形容器１０において、上側折畳側壁３１のロック部材３４をロック解除位置に移動すると、上側折畳側壁３１が上下動可能になる。このとき、上側折畳側壁３１が上下の可動範囲の下端位置に配置されているときには、図１５に示すように、第１フック部４４と第２フック部８０とが上側折畳側壁３１の横方向で係合しているので、回動側壁２０，２０の間の拡張変形、即ち、側面開口１０Ｋ（図２２参照）の幅方向の拡張変形が防がれる。これに加えて、図１９に示すように、第１フック部４４と第２フック部８０とが上側折畳側壁３１の回動方向で互いに対向しているので、詳細には第２フック部８０の係止突壁２８が第１フック部４４の回動干渉壁４４Ｂに外側から対向しているので、上側折畳側壁３１の外側への回動が規制される。
【００５７】
これに対し、上側折畳側壁３１を可動範囲の上端位置に移動すると、図１６に示すように、互いに対向していた第１フック部４４の回動干渉壁４４Ｂと第２フック部８０の係止突壁２８が、図１６に示すように上下に隙間δを空けて離間し、それら回動干渉壁４４Ｂと係止突壁２８との係合が解除される。これにより、図２１に示すように、上側折畳側壁３１の外側への回動が許容される。また、第１フック部４４とその上の第２フック部８０との間の移動許容空間Ｅ（図１９参照）は、図２０に示すように隙間εとなって残る。よって、上側折畳側壁３１を回動したときには、第１フック部４４と第２フック部８０とが隙間δ、εを空けた状態ですれ違うことになり、上側折畳側壁３１を容易に外側に開くことができる。そして、図２２に示すように、上側折畳側壁３１によって箱形容器１０の一部が、本発明に係る側面開口１０Ｋとして開放されて、荷物の出し入れを容易に行えるようになる。
【００５８】
上記したように本実施形態の箱形容器１０によれば、上側折畳側壁３１の外側への回動を確実に禁止しかつ、上側折畳側壁３１を上に持ち上げてから倒すという簡単な操作で上側折畳側壁３１の外側への回動が可能になる。しかも、上側折畳側壁３１を上端位置に配置して外側に回動したときには、上側折畳側壁３１の第１フック部４４と、側面開口１０Ｋの開口縁の第２フック部８０との間に隙間δ，εが形成されるので、上側折畳側壁３１を回動操作をスムーズに行うことができる。そして、上側折畳側壁３１を回動蓋のように利用して箱形容器１０の側面の一部を側面開口１０Ｋとして開くことができる。また、上側折畳側壁３１と下側折畳側壁３２とにそれぞれロック部材３４を設けたので、上側折畳側壁３１と下側折畳側壁３２の両方を回動側壁２０に固定した使用形態と、下側折畳側壁３２のみを回動側壁２０に固定して上側折畳側壁３１を開く使用形態との両方で箱形容器１０全体を安定させることができる。
【００５９】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００６０】
（１）前記実施形態では、折り畳み式のボックスパレットに本発明を適用した例を示したが、折り畳み不能なボックスパレットや、底部がパレット構造になっていない、通常の箱形容器に本発明を適用してもよい。
【００６１】
（２）前記実施形態の第１フック部４４及び第２フック部８０は、サイド突部４４Ｔ，８１の先端部から上方又は下方に係止突壁２８，４４Ａが突出した構造になっていたが、第１フック部４４及び第２フック部８０を、サイド突部４４Ｔ，８１の先端部から内側又は外側に係止突壁２８，４４Ａを突出させた構造にして、第１フック部４４及び第２フック部８０が上側折畳側壁３１の横方向で互いに係合するようにしてもよい。
【００６２】
（３）前記実施形態における「回動壁」として上側折畳側壁３１は、スライドヒンジ部７９により下側折畳側壁３２に対して外側への回動が許容される一方、内側への回動は規制されていたが、スライドヒンジ部により内側への回動が許容される一方、外側への回動が規制された回動壁や、内側と外側の両方の回動が許容された回動壁に本発明を適用してもよい。具体的には、前記実施形態の箱形容器１０において、上側折畳側壁３１を下側折畳側壁３２に対して内側にも回動可能とていてもよい。また、例えば、特開２０１４−４３２５２号公報に開示されているように、対向する１対の第１側壁を内側に倒してから、残りの１対の第２側壁を内側に倒して折り畳むタイプの所謂、「折畳コンテナ」において、第１側壁の両側部から側方に回動干渉部を突出させておくと共に、第２側壁の両側部から第１側壁側に回動干渉部を突出させておき、第１側壁を上端位置に持ち上げて起立姿勢になる位置まで回動すると、第１側壁の回動干渉部が第２側壁の回動干渉部とすれ違い、そこで第１側壁を下端位置に移動すると、第１側壁の回動干渉部が第２側壁の回動干渉部に外側から対向して、第１回動側壁の内側への回動を規制する構成としてもよい。
【００６３】
（４）前記実施形態の箱形容器１０では、回動壁である上側折畳側壁３１を上端位置に移動しても第１フック部４４と第２フック部８０が上側折畳側壁３１の横方向で係合している状態が維持されていたが、その係合が回動壁を上端位置に移動したときに解除されるようにしてもよい。
【００６４】
（５）また、回動壁と側面開口の両側部とに回動干渉部のみを備え、第１フック部と第２フック部とを備えない構成にしてもよい。
【符号の説明】
【００６５】
１０    箱形容器
１０Ｋ    側面開口
１２    底板部（底部）
２０    回動側壁（第２側壁）
２８    係止突壁（上向き係止突壁）
２８Ａ  係合段差部
３０    折畳側壁（第１側壁）
３１    上側折畳側壁（上側第１側壁）
３２    下側折畳側壁（下側第１側壁）
３４    ロック部材（第１ロック部材、第２ロック部材）
４４    第１フック部
４４Ａ  係止突壁（下向き係止突壁）
４４Ｔ，８１  サイド突部
７９    スライドヒンジ部
８０    第２フック部
δ    隙間
【図１】
0006791572.tif 000002
【図２】
0006791572.tif 000003
【図３】
0006791572.tif 000004
【図４】
0006791572.tif 000005
【図５】
0006791572.tif 000006
【図６】
0006791572.tif 000007
【図７】
0006791572.tif 000008
【図８】
0006791572.tif 000009
【図９】
0006791572.tif 000010
【図１０】
0006791572.tif 000011
【図１１】
0006791572.tif 000012
【図１２】
0006791572.tif 000013
【図１３】
0006791572.tif 000014
【図１４】
0006791572.tif 000015
【図１５】
0006791572.tif 000016
【図１６】
0006791572.tif 000017
【図１７】
0006791572.tif 000018
【図１８】
0006791572.tif 000019
【図１９】
0006791572.tif 000020
【図２０】
0006791572.tif 000021
【図２１】
0006791572.tif 000022
【図２２】
0006791572.tif 000023
【図２３】
0006791572.tif 000024
【図２４】
0006791572.tif 000025
【図２５】
0006791572.tif 000026